(57)【要約】　　　（修正有）【課題】音声、香り、照度等を含む各環境データを利用し、環境シュミレーションを実現することができる空調装置を提供する。【解決手段】空調ユニット１０と、音声出力ユニット２０と、初期設定されている環境データを保存するための環境データベース４０と、環境データネットワーク入力端５０及び制御ユニット３０が含まれ、制御ユニット３０は環境データベース４０又は環境データ入力端の環境データを利用し、空調ユニット１０と音声出力ユニット２０の働きを制御する。【選択図】　　図１
0003100589.tif 000002
【実用新案登録請求の範囲】
【請求項１】
　使用空間に配置される空調装置において、
当該空調装置に設置され、当該使用空間の空調状況を調節するための空調ユニットと、
当該空調装置に設置され、空調の状況に合わせて音声を当該使用空間に出力するための音声出力ユニットと、
初期設定されている環境データを保存するための環境データベースと、
当該空調装置に設置され、当該環境データベースが保存されている制御ユニットにおいて、当該制御ユニットにおける環境データベースの環境データによって、当該空調ユニットと音声出力ユニットの働きを制御するための制御ユニットと、
を備えることを特徴とする空調装置。
【請求項２】
　香りアレンジユニットを備えることを特徴とする請求項１に記載の空調装置。
【請求項３】
　照明ユニットを備えることを特徴とする請求項１に記載の空調装置。
【請求項４】
　湿度調節ユニットを備えることを特徴とする請求項１に記載の空調装置。
【請求項５】
　当該音声出力ユニットはスピーカーであることを特徴とする請求項１に記載の空調装置。
【請求項６】
　当該音声出力ユニットは音声調節部材を備えることを特徴とする請求項５に記載の空調装置。
【請求項７】
　当該使用空間の環境データを検知し、その検知結果を当該制御ユニットにフィードバックするための少なくともひとつの検知ユニットを備えることを特徴とする請求項１に記載の空調装置。
【請求項８】
　使用空間に配置される空調装置において、
当該空調装置に設置され、当該使用空間の空調状況を調節するための空調ユニットと、
当該空調装置に設置され、空調状況に合わせて音声を当該使用空間に出力するための音声出力ユニットと、
インターネットと接続される環境データネットワーク入力端と、
当該空調装置に設置され、当該環境データネットワーク入力端の環境データによって、当該空調ユニットと音声出力ユニットの働きを制御するための制御ユニットと、
を備えることを特徴とする空調装置。
【請求項９】
　香りアレンジユニットを備えることを特徴とする請求項８に記載の空調装置。
【請求項１０】
　照明ユニットを備えることを特徴とする請求項８に記載の空調装置。
【請求項１１】
　湿度調節ユニットを備えることを特徴とする請求項８に記載の空調装置。
【請求項１２】
　当該音声出力ユニットはスピーカーであることを特徴とする請求項８に記載の空調装置。
【請求項１３】
　当該音声出力ユニットは音声調節部材を備えることを特徴とする請求項１２に記載の空調装置。
【請求項１４】
　当該環境データネットワーク入力端は遠隔環境データベース、遠隔気象観測システムおよび遠隔環境データ検知システムからなるグループのひとつにアクセスできることを特徴とする請求項８に記載の空調装置。
【請求項１５】
　当該使用空間の環境データを検知し、その検知結果を当該制御ユニットにフィードバックするための少なくともひとつの検知ユニットを備えることを特徴とする請求項８に記載の空調装置。
【考案の詳細な説明】
【技術分野】
【０００１】
　本考案は、空調装置に関するものであり、特に音声、香り、照度等の環境データを出力でき、環境空調の多様性と選択の柔軟性を向上させる空調装置に関するものである。
【背景技術】
【０００２】
　現在幅広く使用されて比較的コストの低い空調機、扇風機又はその他の空調設備は、調整式の出力される風速の値が一定であることが多く、使用場所の固定された温度又は風速を形成し、空調効果を発揮していた。この従来設計の欠点は、その気流変化のパターンが一定でなくても選択できる種類に限りがあることで、当該設備を長く使用するユーザにとっては、単調で快適感が徐々に少なくなるなどの悩みが常につきまとった。そのため、近年、空調システム関連の研究開発者はインテリジェント機能関連の制御技術を導入し始め、出力される気流パターンの変化を改良している。例えば、スイング式のファンブレードを採用して出力される風向きを変えたり、又は扇風機の回転速度をいくつかの短い周期に分けて、風量の周期的な変化を確立したりした。これらの改良設計は従来設備の出力の単調性を減少したが、あくまでも設計された周期的な変化であり、ランダムな環境モードに応じた出力を行うことはできず、ユーザのニーズに応じた細かい調整を行うこともできなかった。
【０００３】
　現在のいわゆる「自然のリズム風」の空調システムを例にとると、そのブレードの上スイングの周期を比較的遅く、下スイングの周期を比較的速く設計するだけでは、ユーザはすぐに当該気流変化のパターンに慣れて、それとともに快適感と新鮮感が急速に失われていき、また同じように外部環境の変化又は個人的なニーズに応じてその出力パターンを変更することができず、使用時に最適な出力モードに調整したり、使用時に最も適合する空調環境を実現することが難しい。
【０００４】
　また、ユーザにとっては、空調装置が作り出した室内環境に長くいると、疲労感を生みやすいだけでなく、心身の健康にも悪い影響がある。この時、従来の空調装置によって屋外環境をシミュレーションしたい場合、温度、湿度又は風速の周期等の一般的な環境データのシミレーションの実現が限界であり、心身がリラックスする本物の屋外感覚を得ることは難しく、さらに前述の環境データの組み合わせ調整によって屋外環境のバリエーションをシミュレーションしても、組み合わされてできた変化パターンは非常に限られ、ユーザは同様に短時間のうちに装置のあらゆる環境データに慣れてしまう可能性がある。そのため、環境データの種類とデータベースの選択性が少ない状況において、現在の空調装置が屋外環境をシミュレーションしたり、使用する変化パターンを増加するなどの効果の実現が困難であるのは明らかである。
【考案の開示】
【考案が解決しようとする課題】
【０００５】
　以上のように、室内において多様化を構築し、音声、香り、照度等の各環境データを出力することで、その選択パターンを向上し、ユーザのニーズに応じていついかなる場所の屋外環境をランダムに選択できるような空調装置をいかに開発し、実用性及び市場における魅力を増加することこそ、空調関連の研究開発分野において、真に追求されなければならないビジネスチャンスである。
【０００６】
　そのため、本考案は、音声、香り、照度等を含む各環境データを利用し、環境シュミレーションを実現することができる空調装置の提供を目的とする。
【０００７】
　また、本考案は環境空調の多様性と選択の柔軟性を向上することができる空調装置の提供を目的とする。
【０００８】
　更に、本考案は大量の環境データを有し、ユーザがランダムに選択できるようにする空調装置の提供を目的とする。
【課題を解決するための手段】
【０００９】
　上記及びその他の目的を実現するために、本考案は、使用空間に配置される空調装置において、当該空調装置に設置され且つ当該使用空間の空調状況を調節するための空調ユニットと、当該空調装置に設置され空調状況に合わせて音声を当該使用空間に出力するための音声出力ユニットと、初期設定されている環境データを保存するための内蔵環境データベース、及び当該空調装置に設置され当該環境データベースの環境データにより、当該空調ユニットと当該音声出力ユニットの作動を制御する制御ユニットが含まれる空調装置を提供する。
【００１０】
　また、本考案の空調装置には、インターネットと接続される環境データネットワーク入力端が含まれ、当該環境データネットワークの入力端はネットワーク上の大型遠隔環境データベース、遠隔気象観測システム、又は遠隔環境データ検知システム等にアクセスすることができ、環境データの選択の柔軟性と多様性を向上するようにする。
【００１１】
　また、当該制御ユニットは制御チップであり、ユーザは当該チップによって、必要に応じて予め当該空調装置に構築されている環境データベースを選択したり、又は当該環境データネットワーク入力端から必要とする環境データの内容をダウンロード又は受信したりして、特定の屋外環境の環境データを出力することができる。また、当該空調装置には、当該使用空間における環境データを検知し、その検知によって得られた誤差を当該制御ユニットにフィードバックすることで、環境データの補償制御を行うための少なくとも１つの当該使用空間に設置される検知ユニットが含まれる。
【００１２】
　前述の当該空調ユニットには、それぞれ温度、風速及び風速周期等空調環境データのシュミレーションを行うための温度調節ユニット、風速調節ユニット、風速周期調節ユニットが含まれる。また、当該音声出力ユニットは制御可能式スピーカーであり、当該制御チップの制御により、当該環境データベース又は環境データネットワーク入力端から提供された音声データを出力することができ、当該音声データは当該空調ユニットが構築した屋外環境データに合わせて、選定された屋外環境のシミュレーション、例えば、波、そよ風又は鳥や蛙の鳴き声等の音声データのシミュレーション行うことができる。また、ユーザも特定の音楽を選択したり又は自ら入力して、選択した空調環境において好みの音楽を楽しむことができる。
【００１３】
　このほかに、本考案の空調装置は、香り、照度及び湿度の出力シミュレーションを行うための香りアレンジユニット、照明ユニット及び湿度調節ユニットを備えることもできる。その他の環境データの構築を増やしたい場合は、気圧調節ユニット、空気フィルタユニット、空気清浄ユニット等の環境調節設備を増設し、同様に当該制御チップと接続することで、本考案が行う環境シミュレーションを更にリアルにすることができる。
【００１４】
　本考案は、遠隔環境データにアクセスされた空調装置により、ランダムで、マルチプルで、調整可能及び随時変化可能な環境データの命令を受信するようにし、また、当該空調装置における空調ユニット、音声出力ユニット及びその他の環境調節ユニットにより、遠隔環境のシミュレーションを完成し、多様性ある空調効果を実現する。
【００１５】
　そのため、本考案の空調装置はユーザが室内において、音声、温度、風速、風速の周期、湿度、照度、香り及び気圧などを含む各環境データをランダムにシミュレーションしたり体験できる効果を備えることが明かであり、また巨大な遠隔環境データベースを提供し選択できるようにすることで、従来の空調装置の単調な変化の制限を十分に解決することができる。
【考案を実施するための最良の形態】
【００１６】
　本考案の提供する空調装置に関するシステム配置の実施例は図１に示す通りである。当該空調装置１には、少なくとも空調ユニット１０、音声出力ユニット２０、制御ユニット３０、環境データベース４０、及び使用場所に配置される検知ユニット６０が含まれ、その中で当該制御ユニット３０は制御チップであり、内蔵されている当該環境データベース４０とリンクするか又は環境データベース４０を内蔵しており、ユーザが選出することにより、内部に予め保存されている環境データを受信し、当該環境データの命令によって、当該空調ユニット１０及び当該空調装置１に設置されている音声出力ユニット２０の操作を制御し、当該使用空間において、温度、風速、風速周期又は音声等の環境データの出力を行い、シミュレーション環境を作り出す。
【００１７】
　また、本考案の空調装置は、インターネットシステムに接続して遠隔環境データベース、遠隔気象観測システム、又は遠隔環境データ検知システムにアクセスでき、選択可能な環境データの内容を拡張するための環境データネットワーク入力端５０を備えることができ、現在の外地のデータの取得又はデータの即時更新を行いたい場合は、世界各国の特定地点における気象観測システム又は環境データ検知システムによって、変化しつつある当該環境データとリアルタイムでリンクし、データの変換と伝送を終えて、当該空調装置１に入り、環境選択の多様性を高めることができる。
【００１８】
　当該空調ユニット１０は、少なくとも一般の空調装置の空調シミュレーション機能を備え、温度調節ユニット１１、風速調節ユニット１２、風速周期調節ユニット１３などの空調部材が含まれる。その中で、当該温度調節ユニット１１には少なくとも冷却コイルと加熱コイルが含まれ、当該風速調節ユニット１２には少なくとも送風機構とスロットル（ｔｈｒｏｔｔｌｅ）機構が含まれ、当該風速周期調節ユニット１３には少なくともインバータ機構が含まれる。
【００１９】
　また、当該音声出力ユニット２０は、制御可能式スピーカーであり、当該制御ユニット３０と接続され、当該制御ユニット３０から入力される命令によって、音声データの出力を行う。当該音声データの出力時におけるリアル性と音響効果を高めたい場合は、当該音声出力ユニット２０にオーディオ用の調節装置又は拡声器を増設することもできる。当該音声データは、当該環境データベース４０又は当該環境データネットワーク入力端５０から受信した遠隔シミュレーション音声であることができ、当該空調ユニット１０に合わせてサウンド効果のある予め決められた環境空間を築くようにできる。例えば、ユーザが地域分類によって、地中海地域の温度、風速及び周期などの空調情報を選択した場合、当該制御ユニット３０がすぐにデータベースに基づいて、同時に波の音や潮風の音などの音声命令を当該音声出力ユニット２０に伝送し、該当する空調環境のリアル性を高めることができたり、ユーザが季節分類によって夏の夜の温度、風速、周期及び湿度等の空調情報を選択した場合、当該音声出力ユニット２０が夜のそよ風又は蛙や虫の鳴き声などの音声データを合わせて出力し、ユーザに目を閉じてシミュレーションを楽しんでもらうことができる。また、当該音声データは当該環境データベース４０又は当該環境データネットワーク入出力端５０から受信した楽曲データであることも可能で、空調環境に合った音楽の再生を行うことができる。例えば、ユーザが昼休みを取りたい場合、睡眠に適した温帯気候を選択する可能性があり、この場合、データベースに予め構築されたデータに基づいて、当該音声出力ユニット２０により、快適な睡眠効果のあるバッハの曲又は各種の叙情曲などを再生し、ユーザの睡眠の質を高めることができる。
【００２０】
　前述の２種類の音声データは様々な異なる変化の効果を相互に合わせることもでき、ユーザの当該環境データベース４０および当該環境データネットワーク入力端５０に対する総合的な活用によって決められる。例えば、ユーザが海辺の環境を構築した場合、合わせて出力される波や潮風等の音声データのほかに、当該音声出力ユニット２０を同時に制御して、ピアノ演奏等のソフトな音楽を同時再生し、より良いリラクゼーション効果を得ることもでき、本考案の環境変化の多様性を高める目的が達成され、室内の使用空間においてあらゆる場所や季節の室外環境を感じることができる。
【００２１】
　また、前記使用空間に配置される検知ユニット６０は、当該使用空間における環境空調状況の検知に用いられ、温度センサ、風速センサ及び周期変化センサ等の従来の検知ユニットを含むことができ、その検知結果を当該制御ユニット３０にフィードバックすることによって、フィードバック制御を行い、当該空調ユニット１０の出力の誤差値を調整し、且つ外部の環境影響量の補償を行う。この設計は、例えば、冬に熱帯地域の環境データをシミュレーションするなど、特に選ばれた環境データ命令と当該使用空間本来の環境条件の差異が比較的大きい状況に用いることができ、その環境のシミュレーション効果に対して、より正確に制御することができる。
【００２２】
　そこで、本考案における空調装置１の動作ブロック図は図２のように示すことができ、ユーザは操作前にまず必要とする環境データを選択でき、当該環境データベース４０から予め保存されている温帯のハワイ型気候又は寒帯の北海道型気候等の環境データを選択することができたり、若しくは当該環境データネットワーク入力端５０からインターネット上の熱帯の中南米型環境データ等を選択できる。次に、当該環境データの命令は、当該空調装置１の制御ユニット３０に入力され、当該制御ユニット３０により処理されて、空調命令及び音声命令としてそれぞれ当該空調ユニット１０及び当該音声出力ユニット２０に対して出力され、この環境データの命令によってそれらの働きを制御することで、使用空間において当該タイプの環境データを出力する。それとともに、当該使用空間に配置された検知ユニット６０は空間において同時検知を行い、現場の環境条件と選択値の差異が予め設定された誤差値を超えた場合、すぐに当該誤差量が当該制御ユニット３０にフィードバックされ、当該制御ユニット３０によってフィードバック制御が行われて、当該誤差値を補うように再び出力される。
【００２３】
　本考案の空調装置１において、空調ユニット１０又は音声出力ユニット２０等の環境調節ユニットの配置は、シュミレーションしようとする環境のリアル度によって決められる。よりリアルなシミュレーションを行いたい場合は、より多種類の環境調節ユニットを配置することができる。そのため、本考案における実施例２のシステム配置図、即ち図３に示すように、前記空調ユニット１０及び音声出力ユニット２０等の基本配置のほかに、従来の照明装置、香り発生装置、湿度調節装置、気圧調節装置又は空気清浄装置等に合わせて、照明ユニット７０、香りアレンジユニット８０、湿度調節ユニット９０、気圧調節ユニット及び空気清浄ユニット等を別に配置し、照度、香り、湿度、気圧又は空気濃度などの環境データの構築を行うことにより、ユーザは一段と細緻な異国情緒を体感でき、その環境に身を置いている感覚も得ることができる。同時に、当該空調装置１には、前記実施例１のように、制御ユニット３０、内蔵環境データベース４０及び外付け検知ユニット６０が配置されており、また必要に応じて環境データネットワーク入力端５０を配置することもでき、これによってインターネット上の遠隔ネットワーク環境データベース、遠隔気象観測システム又は遠隔環境データ検知システムのうち少なくともひとつにアクセスすることができる。
【００２４】
　そのため、本考案の増設される環境調節ユニットには制限がなく、構築された環境データ出力ユニットが多いほど、シミュレーションされる遠隔環境はよりリアルになる。その他の空気成分、酸素含有量又は紫外線の強度等の環境データも、同様に必要に応じて、本考案中に増加することができ、且つ電気ヒーター、空気フィルター、拡声器ないしシーン表示スクリーン等のその他の従来の環境制御装置によって、環境選択のバリエーションを増加することができ、環境データの出力パターンが多いほど、構築される環境空間はより本物に近くなり、本考案の実用性も更に幅広くなる。例えば、行動が不自由で、遠くに旅行に行くことができないユーザにとっては、前記空調、音声出力又は環境制御ユニットに本考案の配置を合わせることにより、自宅において異国情緒を体感することができるし、大量に外国の動物を受け入れている大型動物園にとっても、本考案の機能や効果によって、動物の飼育区域において、その動物が慣れ親しんでいる環境データを構築し、動物の活動力や繁殖率を大幅に高めることができる。
【００２５】
　図４に示すのは、前記実施例２の動作ブロック図であり、その働きと制御工程は実施例１と類似しており、ユーザは当該環境データベース４０又は環境データネットワーク入力端５０から必要とする環境データをそれぞれ選択することができ、且つ当該環境データ命令が当該制御ユニット３０に入力されて処理された後に、当該制御ユニット３０により、空調命令、音声命令、照度命令、香り命令及び湿度命令が出力され、それぞれ当該空調ユニット１０、音声出力ユニット２０、照明ユニット７０、香りアレンジユニット８０及び湿度調節ユニット９０の働きを制御する。同時に、当該使用空間に配置された検知ユニット６０は、当該空間における同時検知を行い、当該制御ユニット３０とリンクすることによって、リアルタイムで環境データの誤差のフィードバック制御を行う。
【００２６】
　前述の各実施例によって、本考案における空調装置１は、その増設された音声出力ユニット２０又はその他の環境調節ユニットにより、環境パターンのバリエーションが増加され、且つ従来の空調装置よりも多様な環境データの構築によって、遠隔環境シミュレーションの機能が発揮され、それと同時に、その内蔵環境データベース４０及び外付け環境データネットワーク入力端５０を利用して、環境データの選択性を限りなく拡張し、ユーザの使用の柔軟性と楽しみが高められることが分かる。
【００２７】
　以上のことから、本考案の空調装置は、明らかにユーザが多様な環境データを体感することを高める効果を有し、同時にユーザが選択できるように大量の環境データベースを提供し、必要に応じて各地や各時期の遠隔環境を体験することによって、環境空調の多様性及び使用の柔軟性を向上することができる。
【００２８】
　但し、上記は、単に本考案にかかわる具体的な実施例を説明するためのものであって、これらによって本考案の範囲が何ら限定されるものではない。本考案にかかわる実質的な技術内容は、広汎に前記の登録請求の範囲内に定義される。他人に完成された如何なる技術や方法は、前記の登録請求の範囲に定義されたものとまったく同然であり、または同一であり、同等の効果となる変更であれば、登録請求の範囲に含まれると思われる。
【図面の簡単な説明】
【００２９】
【図１】本考案における空調装置の実施例１を示す概略図。
【図２】図１に示される実施例１の操作ブロック図。
【図３】本考案における空調装置の実施例２を示す概略図。
【図４】図３に示される実施例２の操作ブロック図。
【符号の説明】
【００３０】
１　　空調装置
１０　　空調ユニット
１１　　温度調節ユニット
１２　　風速調節ユニット
１３　　風速周期調節ユニット
２０　　音声出力ユニット
３０　　制御ユニット
４０　　環境データベース
５０　　環境データネットワーク入力端
６０　　検知ユニット
７０　　照明ユニット
８０　　香りアレンジユニット
９０　　湿度調節ユニット
【図１】
0003100589.tif 000003
【図２】
0003100589.tif 000004
【図３】
0003100589.tif 000005
【図４】
0003100589.tif 000006